【手続補正書】
【提出日】平成24年12月4日(2012.12.4)
【手続補正１】
【補正対象書類名】特許請求の範囲
【補正対象項目名】全文
【補正方法】変更
【補正の内容】
【特許請求の範囲】
【請求項１】
被写体像を形成する光束を透過させる光学系と、
撮像信号を出力する複数の撮像画素と焦点検出信号を出力する複数の焦点検出画素とが垂直方向および水平方向に配置され、前記複数の撮像画素および前記複数の焦点検出画素の駆動読み出しが前記水平方向の行毎に順次行われるローリングシャッタ動作を行う撮像素子であって、前記複数の焦点検出画素が前記水平方向に配列された第１の焦点検出画素配列と前記複数の焦点検出画素が前記水平方向と異なる他の方向に配列された第２の焦点検出画素配列とを有する撮像素子と、
前記光束に基づく前記撮像素子の露光状態を変化させる露光調整手段と、
前記第１の焦点検出画素配列および前記第２の焦点検出画素配列からの前記焦点検出信号に基づき、前記光学系の焦点状態を検出する焦点検出手段と、
前記ローリングシャッタ動作中に前記露光調整手段が前記露光状態を変化させたことを検出し、前記露光状態に応じて、前記第１の焦点検出画素配列に対する前記焦点状態の検出処理と前記第２の焦点検出画素配列に対する前記焦点状態の検出処理とを相異ならせる制御を前記焦点検出手段に施す制御手段とを備えることを特徴とする撮像装置。
【請求項２】
請求項１に記載の撮像装置において、
前記露光調整手段は、前記光学系の絞りを含み、前記絞りの開口径を変化させることにより前記露光状態を変化させることを特徴とする撮像装置。
【請求項３】
請求項２に記載の撮像装置において、
前記制御手段は、前記ローリングシャッタ動作により、１フレーム分の前記撮像信号が読み出される間の前記開口径の変化量が所定閾値以上であることを検出したことに基づき前記ローリングシャッタ動作中の前記露光状態の変化を検出することを特徴とする撮像装置。
【請求項４】
請求項２に記載の撮像装置において、
前記制御手段は、前記ローリングシャッタ動作中に前記開口径が変化した場合には、前記第２の焦点検出画素配列からの前記焦点検出信号に基づく前記焦点状態の検出を禁止する制御を前記焦点検出手段に施すことを特徴とする撮像装置。
【請求項５】
請求項４に記載の撮像装置において、
前記複数の焦点検出画素の各々は、マイクロレンズと光電変換部とを有する瞳分割型の画素であり、
前記複数の焦点検出画素は、前記絞りを通過する一対の光束のうちの一方を受光する第１焦点検出画素と、前記一対の光束のうちの他方を受光する第２焦点検出画素とを含み、
前記焦点検出画素配列には、前記第１焦点検出画素と前記第２焦点検出画素とが交互に配列されることを特徴とする撮像装置。
【請求項６】
請求項４に記載の撮像装置において、
前記複数の焦点検出画素の各々は、マイクロレンズと第１の光電変換部と第２の光電変換部とを有する瞳分割型の画素であり、
前記複数の焦点検出画素は、前記絞りを通過する一対の光束を受光し、
前記第１の光電変換部は前記一対の光束のうちの一方を受光するとともに、前記第２の光電変換部は前記一対の光束のうちの他方を受光することを特徴とする撮像装置。
【請求項７】
請求項５または６に記載の撮像装置において、
前記焦点検出手段は、前記第１の焦点検出画素配列および前記第２の焦点検出画素配列からの前記焦点検出信号に基づき、前記一対の光束により形成される一対の像の相対的な
像ズレ量を算出するとともに、前記像ズレ量に前記一対の光束の開き角に応じた変換係数を乗じてデフォーカス量に変換することを特徴とする撮像装置。
【請求項８】
請求項７に記載の撮像装置において、
前記ローリングシャッタ動作中に前記開口径が変化した場合には、前記像ズレ量は、前記第１の焦点検出画素配列からの前記焦点検出信号に基づいて算出され、前記変換係数は、前記ローリングシャッタ動作における前記第１の焦点検出画素配列の露光時間の中間点における前記開口径を有する前記絞りを通過する一対の光束の開き角に応じたことを特徴とする撮像装置。
【請求項９】
被写体像を形成する光束を透過させる光学系と、
撮像信号を出力する複数の撮像画素と焦点検出信号を出力する複数の焦点検出画素とが垂直方向および水平方向に配置され、前記複数の撮像画素および前記複数の焦点検出画素の駆動読み出しが前記水平方向の行毎に順次行われるローリングシャッタ動作を行う撮像素子であって、前記複数の焦点検出画素が前記水平方向に配列された第１の焦点検出画素配列と前記複数の焦点検出画素が前記水平方向と異なる他の方向に配列された第２の焦点検出画素配列とを有する撮像素子と、
前記光束が通過する開口径を変化させる絞りと、
前記第１の焦点検出画素配列および前記第２の焦点検出画素配列からの前記焦点検出信号に基づき、前記光学系の焦点状態を検出する焦点検出手段と、
前記焦点検出手段により検出された前記焦点状態に応じて前記焦点状態を調節する焦点調節手段と、
前記ローリングシャッタ動作中の前記絞りの開口径の変化を検出すると、前記変化に応じて、前記第２の焦点検出画素配列からの前記焦点検出信号に基づいて検出された前記焦点状態に応じた前記焦点状態の調節を禁止する制御を前記焦点調節手段に施す制御手段とを備えることを特徴とする撮像装置。
【手続補正２】
【補正対象書類名】明細書
【補正対象項目名】０００５
【補正方法】変更
【補正の内容】
【０００５】
（１）請求項１に記載の撮像装置は、被写体像を形成する光束を透過させる光学系と、撮像信号を出力する複数の撮像画素と焦点検出信号を出力する複数の焦点検出画素とが垂直方向および水平方向に配置され、複数の撮像画素および複数の焦点検出画素の駆動読み出しが水平方向の行毎に順次行われるローリングシャッタ動作を行う撮像素子であって、複数の焦点検出画素が水平方向に配列された第１の焦点検出画素配列と複数の焦点検出画素が水平方向と異なる他の方向に配列された第２の焦点検出画素配列とを有する撮像素子と、光束に基づく撮像素子の露光状態 を変化させる露光調整手段と、第１の焦点検出画
素配列および第２の焦点検出画素配列からの焦点検出信号に基づき、光学系の焦点状態を検出する焦点検出手段と、ローリングシャッタ動作中に露光調整手段が露光状態を変化させたことを検出し、露光状態に応じて、第１の焦点検出画素配列に対する焦点状態の検出処理と第２の焦点検出画素配列に対する焦点状態の検出処理とを相異ならせる制御を焦点検出手段に施す制御手段とを備えることを特徴とする。
（２）請求項９に記載の撮像装置は、被写体像を形成する光束を透過させる光学系と、撮像信号を出力する複数の撮像画素と焦点検出信号を出力する複数の焦点検出画素とが垂直方向および水平方向に配置され、複数の撮像画素および複数の焦点検出画素の駆動読み出しが水平方向の行毎に順次行われるローリングシャッタ動作を行う撮像素子であって、複数の焦点検出画素が水平方向に配列された第１の焦点検出画素配列と複数の焦点検出画素が水平方向と異なる他の方向に配列された第２の焦点検出画素配列とを有する撮像素子と、光束が通過する開口径を変化させる絞りと、第１の焦点検出画素配列および第２の焦点検出画素配列からの焦点検出信号に基づき、光学系の焦点状態を検出する焦点検出手段と、焦点検出手段により検出された焦点状態に応じて焦点状態を調節する焦点調節手段と、ローリングシャッタ動作中の絞りの開口径の変化を検出すると、変化に応じて、第２の焦点検出画素配列からの焦点検出信号に基づいて検出された焦点状態に応じた焦点状態の調節を禁止する制御を焦点調節手段に施す制御手段とを備えることを特徴とする。